(57)【要約】【課題】便利なペットボトルホルダーを提供すること。【解決手段】本発明のペットボトルホルダーは、ペットボトルのねじ蓋の外径と略同一の内径をもつ円環の下方の一部を切り欠いたＣ字形状のねじ蓋嵌合部１３と、ねじ蓋嵌合部１３から水平方向に延設される、ペットボトル９０の首部の外径と略同一の内径をもつ円環の一部を切り欠いたＣ字形状のペットボトル嵌入部２３と、を有することを特徴とする。【選択図】  図３
2005075453.tif 000002
【特許請求の範囲】
【請求項１】
ペットボトルのねじ蓋の外径と略同一の内径をもつ円環の下方の一部を切り欠いたＣ字形状のねじ蓋嵌合部と、
該ねじ蓋嵌合部から水平方向に延設される、ペットボトルの首部の外径と略同一の内径をもつ円環の一部を切り欠いたＣ字形状のペットボトル嵌入部と、を有することを特徴とするペットボトルホルダー。
【請求項２】
前記ペットボトル嵌入部のＣ字形状の開口方向は、前記ねじ蓋嵌合部から延設される方向に対して横向きである請求項１に記載のペットボトルホルダー。
【請求項３】
前記ペットボトル嵌入部は前記ねじ蓋嵌合部の切り欠きの反対側の面と面一である請求項１又は２に記載のペットボトルホルダー。
【請求項４】
前記ねじ蓋嵌合部は前記ペットボトル嵌入部側の突出部分が前記ペットボトルの首部近傍の側面を保持できる形状である請求項１〜３のいずれかに記載のペットボトルホルダー。
【請求項５】
前記ねじ蓋嵌合部は前記ペットボトル嵌入部と反対側の突出部分の先端が、下方に延設されたへら部をもつ請求項１〜４のいずれかに記載のペットボトルホルダー。
【請求項６】
前記ねじ蓋嵌合部の円環の厚み方向の幅は、前記ペットボトル嵌入部の延設方向に垂直な幅と略同一である請求項１〜５のいずれかに記載のペットボトルホルダー。
【請求項７】
前記ペットボトル嵌入部及び／又は前記ねじ蓋嵌合部の内周面の少なくとも一部は小突起を備える請求項１〜６のいずれかに記載のペットボトルホルダー。
【請求項８】
前記ペットボトル嵌入部は鍔状に周設された補強用リブを備える請求項１〜７に記載のペットボトルホルダー。
【発明の詳細な説明】
【技術分野】
【０００１】
本発明は、ペットボトルホルダーに関し、詳しくはペットボトルの携帯に便利なペットボトルホルダーに関する。
【背景技術】
【０００２】
ペットボトルは、蓋の開け閉めが可能であり、飲み物の携帯に広く使用されている。ペットボトルの携帯はベルトなどに吊り下げて行うことが便利であり、ペットボトルの首部を保持する部分と、その部分から延びベルトなどに差し込むことができる部分とをもつペットボトルホルダーが知られている。更に、ペットボトルホルダーのベルトに差し込む部分の中央付近にペットボトルの蓋が挿入できその蓋を開けることができる孔を設けたペットボトルホルダーが開示されている（特許文献１など）。
【特許文献１】特開２００２−１０４４１８号公報
【発明の開示】
【発明が解決しようとする課題】
【０００３】
上記実情に鑑み本発明では更に便利なペットボトルホルダーを提供することを解決すべき課題とする。
【課題を解決するための手段】
【０００４】
上記課題を解決する本発明のペットボトルホルダーは、ペットボトルのねじ蓋の外径と略同一の内径をもつ円環の下方の一部を切り欠いたＣ字形状のねじ蓋嵌合部と、
該ねじ蓋嵌合部から水平方向に延設される、ペットボトルの首部の外径と略同一の内径をもつ円環の一部を切り欠いたＣ字形状のペットボトル嵌入部と、を有することを特徴とする（請求項１）。
【０００５】
そして、前記ペットボトル嵌入部のＣ字形状の開口方向は、前記ねじ蓋嵌合部から延設される方向に対して横向きであることが好ましい（請求項２）。また、前記ペットボトル嵌入部は前記ねじ蓋嵌合部の切り欠きの反対側の面と面一であることが好ましい（請求項３）。更に、前記ねじ蓋嵌合部は前記ペットボトル嵌入部側の突出部分が前記ペットボトルの首部近傍の側面を保持できる形状であることが好ましい（請求項４）。
【０００６】
また、前記ねじ蓋嵌合部は前記ペットボトル嵌入部と反対側の突出部分の先端が、下方に延設されたへら部をもつことができる（請求項５）。そして、前記ねじ蓋嵌合部の円環の厚み方向の幅は、前記ペットボトル嵌入部の延設方向に垂直な幅と略同一であることが好ましい（請求項６）。また、前記ペットボトル嵌入部及び／又は前記ねじ蓋嵌合部の内周面の少なくとも一部は小突起を備えることができる（請求項７）。更にまた、前記ペットボトル嵌入部は鍔状に周設された補強用リブを備えることができる（請求項８）。
【発明を実施するための最良の形態】
【０００７】
本発明のペットボトルホルダーについて実施形態に基づいて以下詳細に説明する。本実施形態のペットボトルホルダーはねじ蓋嵌合部とペットボトル嵌入部とを有し、ペットボトルを好適に保持できる。ねじ蓋嵌合部は、ペットボトルのねじ蓋が隙間無く嵌合できるように、ペットボトルのねじ蓋の外径と略同一の内径をもつ円環の下方の一部を切り欠いた形状（Ｃ字形状）をもつ。つまり、ねじ蓋嵌合部は、Ｃ字形状をした円環の一部を２つの突出部分により形成する。なお、本ペットボトルホルダーを使用する場合、ねじ蓋嵌合部における切り欠きの向きは上下方向を問わない。
【０００８】
ねじ蓋嵌合部はペットボトルホルダーの取っ手を兼ねるのである程度剛性があることが好ましい。従って、ねじ蓋嵌合部の円環の厚み方向の幅は、後述するペットボトル嵌入部の延設方向に垂直な幅と略同一であることが好ましい。また、ねじ蓋嵌合部の内周面の少なくとも一部にはねじ蓋とかみ合うことができる小突起をもつことが好ましい。小突起はねじ蓋のローレットに係合できるので、ペットボトルのねじ蓋を開ける際にねじ蓋嵌合部を用いることが容易になる。
【０００９】
ねじ蓋嵌合部はペットボトルのねじ蓋を保持することに用いることができるほか、棒状の部材（自転車のハンドル、ベビーカーの押手、自動車の手すりなど）に嵌め込んでペットボトルをその棒状の部材に固定することができる。
【００１０】
そして、ねじ蓋嵌合部は、ペットボトル嵌入部と反対側の突出部分の先端が、下方に延設されたへら部をもつことが好ましい。へら部があることにより、本ペットボトルホルダーをベルトなどの内側に容易に挿入・保持することができる。また、へら部の先端をくさび状にすることでプルトップなどを容易に開けることができる。また、ペットボトル嵌入部側の突出部分はペットボトルの首部近傍の側面を当接保持できる形状であることが好ましい。本ペットボトルホルダーを使用する際に、ペットボトル嵌入部側の突出部分がペットボトルの首部近傍に当接保持することで、保持されたペットボトルが安定する。
【００１１】
ペットボトル嵌入部は、ねじ蓋嵌合部から水平方向に延設されている。そして、ペットボトルの首部の外径と略同一の内径をもつ円環の一部を切り欠いたＣ字形状の部材である。この切り欠かれた円環にペットボトルを嵌入して保持する。ペットボトル嵌入部は、ねじ蓋嵌合部の切り欠きの反対側の面と面一であることが好ましい。取り扱いが便利であること及び面一部分に広告や商標などの文字・図形を記入することができるからである。
【００１２】
ペットボトル嵌入部の切り欠きの方向は、嵌入されたペットボトルが外れにくくなるように、ねじ蓋嵌合部から延設される方向と異なる方向が好ましく、特に延設方向に対して概ね垂直方向であることがより好ましい。ペットボトル嵌入部を構成する円環の周囲には補強用に鍔状に周設された補強用リブを備えることが好ましい。
【実施例１】
【００１３】
本実施例のペットボトルホルダーは、図１に示すように、円環の下方の一部を切り欠いた部材であるねじ蓋嵌合部１１と、ねじ蓋嵌合部１１の円環の中央付近から水平方向に延設された、円環の延設方向から略垂直方向の一部を切り欠いた部材であるペットボトル嵌入部２１とを有する。ねじ蓋嵌合部１１の内周面の径はペットボトルのねじ蓋の外径とほぼ同じである。ねじ蓋嵌合部１１は２つの突出部分１１１及び１１２をもち、その突出部分１１１及び１１２は先に行くに従い、幅が狭くなっていることで、本ペットボトルホルダーの取り扱い性が良くなっている。例えば、突出部分の幅が狭くなっていることで、（１）２以上の本ペットボトルホルダーを並べても幅が必要以上に広くならないこと、（２）指でねじ蓋嵌合部１１を握るときに握りやすくなること、などの利点である。ペットボトル嵌入部２１の内径はペットボトルの首部の外径とほぼ同じである。
【００１４】
ペットボトル嵌入部２１にペットボトルの首部を嵌入して保持する。ねじ蓋嵌合部１１は、手で持つ場合の取っ手としたり、自転車のハンドルなどに嵌め込んで本ペットボトルホルダー及びペットボトルを保持できる。ペットボトルの内容物を飲む場合は、ねじ蓋嵌合部１１を自転車のハンドルなどからはずした後、ペットボトルのねじ蓋を開ける。開けたねじ蓋はねじ蓋嵌合部１１に嵌め込むことで、下に落としたり、無くしたりすることを防止できる。飲み終わった後はねじ蓋嵌合部１１からねじ蓋をはずし、ペットボトルにねじ込む。ねじ蓋嵌合部１１は固定する部分（自転車のハンドルなど）に再び嵌め込むことでペットボトルを保持・固定できる。
【実施例２】
【００１５】
本実施例のペットボトルホルダーは、図２に示すように、円環の下方の一部を切り欠いた部材であるねじ蓋嵌合部１２と、ねじ蓋嵌合部１２の円環の切り欠きの反対側の端部と面一となるように水平方向に延設された、円環の延設方向から略垂直方向の一部を切り欠いた部材であるペットボトル嵌入部２２とを有する。ねじ蓋嵌合部１２の内周面の径はペットボトルのねじ蓋の外径とほぼ同じである。ねじ蓋嵌合部１２は２つの突出部分１２１及び１２２をもち、その突出部分１１２は先に行くに従い、幅が狭くなっている。突出部分１２１は、図２（ｃ）に示すように、ペットボトル９０に嵌め込んだ場合に先端部分が首部の下付近に当接する形状をもつ。突出部分１２１の先端がペットボトルに当接することで、ねじ蓋嵌合部２２を取っ手として使用するときに本ペットボトルホルダーが撓むことを防止できる。抜き穴１２３は本ペットボトルホルダーを成形するときに用いる型が抜けるように設けられている。また、複数の本ペットボトルホルダーを重ねる際に、一方のペットボトルホルダーにおける抜き穴１２３に、他方のペットボトルホルダーにおける突出部分１２１を挿入することで占有する体積を減らすことができる。
【００１６】
ペットボトル嵌入部２２の内径はペットボトルの首部の外径とほぼ同じである。ねじ蓋嵌合部１２及びペットボトル嵌入部２２を連結する部分２２２には文字や図形などを記載することができる。例えば、商標や会社名、電話番号などが記載できる。
【００１７】
ペットボトル嵌入部２２にペットボトル９０の首部を嵌入して保持する。ねじ蓋嵌合部１２は、手で持つ場合の取っ手としたり、自転車のハンドルなどに嵌め込んで本ペットボトルホルダー及びペットボトル９０を保持できることは実施例１のペットボトルホルダーと同様である。ペットボトル９０の内容物を飲む場合にはねじ蓋嵌合部１２を自転車のハンドルからはずした後、ペットボトル９０のねじ蓋９１を開ける。開けたねじ蓋９１はねじ蓋嵌合部１２に嵌め込むことで、下に落としたり、無くしたりすることを防止できる。飲み終わった後はねじ蓋嵌合部１２からねじ蓋９１をはずし、ペットボトル９０にねじ込む。ねじ蓋嵌合部１２を固定する部分（自転車のハンドルなど）に再び嵌め込むことでペットボトル９０を保持・固定できる。
【実施例３】
【００１８】
本実施例のペットボトルホルダーは、図３に示すように、実施例２のペットボトルホルダーとほぼ同じ構成であるが、ねじ蓋嵌合部１３の突出部分１３２の先端にへら部１３３をもつことが異なる。へら部１３３はベルト内などに差し込む際に好適に使用できる。また、へら部１３３には孔１３３１が穿設されており、孔１３３１はストラップなどを結びつけて固定できる。
【図面の簡単な説明】
【００１９】
【図１】実施例１のペットボトルホルダーの平面図（ａ）、正面図（ｂ）及び右側面図（ｃ）である。
【図２】実施例２のペットボトルホルダーの斜視図（ａ）及び（ｂ）並びに使用状態を表した正面図（ｃ）である。
【図３】実施例３のペットボトルホルダーの斜視図（ａ）及び（ｂ）並びに使用状態を表した正面図（ｃ）及び斜視図（ｄ）である。
【符号の説明】
【００２０】
１１、１２、１３…ねじ蓋嵌合部
１１１、１１２、１２１、１２２、１３１、１３２…突出部分    １３３…へら部
２１、２２、２３…ペットボトル嵌入部
９０…ペットボトル    ９１…ねじ蓋
【図１】
2005075453.tif 000003
【図２】
2005075453.tif 000004
【図３】
2005075453.tif 000005